(57)【特許請求の範囲】
【請求項１】
結晶セルロースを５０〜９５質量％、アルギン酸プロピレングリコールエステル及びカルボキシメチルセルロース・ナトリウムを合計５〜５０質量％を含む結晶セルロース複合化物であって、該結晶セルロース複合化物を固形分１質量％の水分散液としたときの貯蔵弾性率が０．１Ｐａ以上であることを特徴とする結晶セルロース複合化物。
【請求項２】
アルギン酸プロピレングリコールエステルとカルボキシメチルセルロース・ナトリウムの質量比が１／９から９／１であることを特徴とする請求項１記載の結晶セルロース複合化物。
【請求項３】
結晶セルロース複合化物が、さらに乳化剤を含むことを特徴とする請求項１又は２に記載の結晶セルロース複合化物。
【請求項４】
請求項１〜３のいずれかに記載の結晶セルロース複合化物を含むことを特徴とする乳飲料。
【請求項５】
請求項１〜３のいずれかに記載の結晶セルロース複合化物と、さらに乳化剤及び／またはカゼイン・ナトリウムを含むことを特徴とする乳飲料。
【発明の詳細な説明】
【技術分野】
【０００１】
本発明は、結晶セルロース、アルギン酸プロピレングリコールエステル及びカルボキシメチルセルロース・ナトリウムを含む結晶セルロース複合化物に関するものである。この結晶セルロース複合化物は、従来にない、低添加量で乳飲料のオイルオフ、オイルリング、沈殿、凝集等を抑制できるものである。
【背景技術】
【０００２】
乳成分を含有した飲料としては、ミルクコーヒー、ミルク紅茶などが知られている。しかし、その飲料を長期間保存したり、加熱したりすると、乳成分中の脂肪同士が合一し、乳化状態が破壊されて乳蛋白が凝集し、容器底部に沈殿する。また、乳化状態が破壊されると脂肪が油滴となって飲料表面に浮上するオイルオフと呼ばれる現象が起こる。さらに、浮上した脂肪が容器内壁にリング状に固着したオイルリングと呼ばれる現象も起こる。これらの現象により、外観の悪化、味質の低下を招くことが問題であった。特に近年は、ピークカット自動販売機の普及が増え、缶容器に付着するオイルオフ、オイルリング等の問題が急増している。このような問題点を解消するべく、従来からセルロース系素材や乳化剤を使用した乳飲料の開発がされてきた。
【０００３】
特許文献１には乳製品を加えたコーヒー抽出液に乳化剤と微結晶セルロースを添加したコーヒー飲料の製造方法が開示されている。
特許文献２には、乳化剤とセルロース複合化物を含有した乳成分入りコーヒー飲料が開示されている。
特許文献１、２では、充分な効果を得るために、多量の微結晶セルロース複合化物と乳化剤を飲料に添加する必要があった。それによって、コストが過大となったり、飲料の粘度が増加して舌触りに影響を与えるという問題がある。
特許文献３には、微細な繊維状セルロースを配合した乳飲料が開示されている。しかし、飲料に微細な繊維状セルロースを添加する際に、予め機械的せん断力を与えて繊維状セルロースを分散させなければならない問題がある。
【０００４】
特許文献４には、乳飲料に発酵セルロース複合化物を少量配合することで、オイルオフや、沈殿の防止に効果があることが記載されている。しかしながら、発酵セルロースを得る製造プロセス自体が複雑であり、且つ困難であるので、実用的でない。
特許文献５には、微結晶セルロース及びヒドロコロイドからなる組成物であって、約１０ミクロンより小さい平均粒子径をもつ組成物が開示されている。ヒドロコロイドの一例として、ポリプロピレングリコールアルギネートが開示されている。また、微結晶セルロースとヒドロコロイドを磨砕する際に、抗スリップ剤を共存させることにより、平均粒子径が小さい組成物を製造する方法が記載されている。しかし、特許文献５に記載の組成物は、平均粒子径が小さく、ココア等の懸濁性、ヨーグルト等の安定性は優れているが、乳飲料のオイルオフ、オイルリングを抑制し、乳脂肪を安定化するには不十分である。
【先行技術文献】
【特許文献】
【０００５】
【特許文献１】特開平６−２４５７０３号公報
【特許文献２】特開平６−３３５３４８号公報
【特許文献３】特開２００４−３０５００５号公報
【特許文献４】特開２００７−３３０２５６号公報
【特許文献５】特表２００６−５０８１９５号公報
【発明の概要】
【発明が解決しようとする課題】
【０００６】
上記のように、従来の技術では、オイルオフやオイルリングを解消するには多量のセルロース系安定剤を添加する必要があり、飲料が増粘し、食感に悪影響を及ぼすという問題があった。加えて、多量の添加が必要なので、コストがかかっていた。
本発明の課題は、乳飲料用の安定剤として高い機能を有する結晶セルロース複合化物を提供することである。具体的には、低添加量で、乳飲料のオイルオフやオイルリング等の発生を抑制でき、しかも味に影響せず、食感を損なわないセルロース複合化物と、それを含む飲料を提供することが本発明の課題である。
【課題を解決するための手段】
【０００７】
本発明者らは、上記課題に対して鋭意検討を重ねた結果、本発明の結晶セルロース複合化物を見出し、それを乳飲料に含有させることで、オイルオフ、オイルリング等の発生を顕著に抑制できることを見出して本発明をなすに至った。
すなわち、本発明は、以下のものである。
（１）結晶セルロースを５０〜９５質量％、アルギン酸プロピレングリコールエステル及びカルボキシメチルセルロース・ナトリウムを合計５〜５０質量％を含む結晶セルロース複合化物であって、該結晶セルロース複合化物を固形分１質量％の水分散液としたときの貯蔵弾性率が０．１Ｐａ以上であることを特徴とする結晶セルロース複合化物。
（２）アルギン酸プロピレングリコールエステルとカルボキシメチルセルロース・ナトリウムの質量比が１／９から９／１であることを特徴とする上記（１）記載の結晶セルロース複合化物。
（３）結晶セルロース複合化物が、さらに乳化剤を含むことを特徴とする上記（１）又は（２）に記載の結晶セルロース複合化物。
（４）上記（１）〜（３）のいずれかに記載の結晶セルロース複合化物を含むことを特徴とする乳飲料。
（５）上記（１）〜（３）のいずれかに記載の結晶セルロース複合化物と、さらに乳化剤及び／またはカゼイン・ナトリウムを含むことを特徴とする乳飲料。
【発明の効果】
【０００８】
本発明の結晶セルロース複合化物は、従来に比べ、オイルオフ、オイルリング等の抑制効果が高いため、極少量の添加量で効果を得ることができる。従って、本発明の結晶セルロース複合化物を少量、乳飲料に添加することにより、長期間保存した場合においてもオイルオフ等の発生を抑制できる。
【発明を実施するための形態】
【０００９】
以下、本発明について詳細に説明する。なお、本発明は、以下の実施の形態に限定されるものではなく、その要旨の範囲内で種々変形して実施することができる。
本発明の結晶セルロース複合化物とは、少なくとも結晶セルロースと、アルギン酸プロピレングリコールエステルと、カルボキシメチルセルロース・ナトリウムが、一定の割合で化学結合をして複合化しているものである。
本発明において、「結晶セルロース」とは、木材パルプ、精製リンター、再生セルロース、穀物又は果実由来の食物繊維、バクテリアセルロース等のセルロース系素材を、酸加水分解、アルカリ酸化分解、酵素分解、スチームエクスプロージョン分解、亜臨界水又は超臨界水による加水分解等により、或いはそれらの組み合わせにより、解重合処理して平均重合度３０〜３７５としたものを洗浄、濾過して得られたセルロースのことである。
【００１０】
本発明において、「アルギン酸プロピレングリコールエステル」とは、アルギン酸中のカルボキシル基に、プロピレンオキシドがエステル化されたものである。そのエステル化度は特に制限はないが、５０％以上が好ましい。より好ましくは、７０％以上、さらに好ましくは、７５％以上である。粘度も特に制限はないが、固形分１％の水溶液で、３００ｍＰａ・ｓ以下が好ましい。より好ましくは、１００ｍＰａ・ｓ以下であり、さらに好ましくは、７０ｍＰａ・ｓ以下である。
本発明において、「カルボキシメチルセルロース・ナトリウム」とは、セルロースの水酸基がモノクロロ酢酸で、一部置換されたものである。カルボキシメチル基の置換度（エーテル化度）に関しては、乳飲料におけるオイルリング等の抑制効果の点から、０．５０〜１．５０であることが好ましい。より好ましくは０．５０〜１．００であり、さらに好ましくは、０．７０〜０．９０である。粘度（固形分２％の水溶液として）に関しては、良好な喉越しの点から、３００ｍＰａ・ｓ以下が好ましい。より好ましくは１００ｍＰａ・ｓ以下であり、さらに好ましくは５０ｍＰａ・ｓ以下であり、特に好ましくは１０ｍＰａ・ｓ以下である。
【００１１】
上述の粘度は以下の方法で測定できる。
アルギン酸プロピレングリコールエステル又はカルボキシメチルセルロース・ナトリウムを、純水に溶解する（例えば、粉末の場合は、水分散液の全量を３００ｍＬにし、ホモジナイザー（ＮＩＨＯＮ  ＳＥＩＫＩ  ＫＡＩＳＹＡ製  エクセルオートホモジナイザーＥＤ−７型）を用いて、１５０００ｒｐｍで、溶解するまで分散させる。）。その後、１時間、２５℃で恒温した後、Ｂ型粘時計（ＴＯＫＩ  ＳＡＮＧＹＯ製  ＶＩＳＣＯＭＥＴＥＲ  ＴＶ−１０型）を用いて計測する。ロータータイプは粘度に応じて選択し、水溶液にセットする。セット後３０秒間静置した後、６０ｒｐｍで、３０秒間ローターを回転させた際に、粘度が測定される。
【００１２】
本発明の結晶セルロース複合化物は、結晶セルロースを５０〜９５質量％含み、アルギン酸プロピレングリコールエステル及びカルボキシメチルセルロース・ナトリウムを合計５〜５０質量％含む。結晶セルロースが５０質量％以上であれば、乳飲料中の結晶セルロースの量が十分であり、オイルオフ等が抑制される。また、結晶セルロースが９５質量％以下であれば、結晶セルロースに対してアルギン酸プロピレングリコールエステル及びカルボキシメチルセルロース・ナトリウムの量が十分であり、結晶セルロース複合化物を乾燥及び粉体化しても、結晶セルロース同士の角質化を防止できる。角質化した結晶セルロースは、それを水中で分散させたとしても分散しにくく、微細な結晶セルロース粒子数が不十分となる。その場合、分散液において結晶セルロースの網目構造が形成され難く、オイルオフ等を防止できない。結晶セルロースの含有量は、より好ましくは５５〜９０質量％であり、さらに好ましくは、６０〜９０質量％である。
【００１３】
本発明において、結晶セルロース自体は親油性がないが、アルギン酸プロピレングリコールエステルと複合化することで、結晶セルロース表面に親油性が付与される。親油性が付与されることにより、脂肪が合一することを抑制でき、分散状態を保つことができる。
また、結晶セルロースがカルボキシメチルセルロース・ナトリウムと複合化することによって、結晶セルロース表面の電位が強化されて、結晶セルロース複合化物間の静電反発力が生じ、結晶セルロース複合化物を分散させた場合に、安定な懸濁状態となる。
前記の親油性と、懸濁安定性を共に兼ね備えた結晶セルロース複合化物は、オイルオフ、オイルリング等の抑制効果が高い。親油性と懸濁安定性をバランス良く得るには、アルギン酸プロピレングリコールエステルとカルボキシメチルセルロース・ナトリウムの質量比を、１／９〜９／１とすることが好ましい。より好ましくは、２／８〜８／２、さらに好ましくは、４／６〜６／４である。
【００１４】
結晶セルロース複合化物は、乳化剤を含むことが好ましい。本発明において、「乳化剤」とは、親水基と疎水基を併せ持つ両親媒性化合物のことである。その化学構造は特に制限されるものではないが、例えば以下の化合物が挙げられる。
ショ糖脂肪酸エステル、ショ糖イソ酪酸エステル、ソルビタン脂肪酸エステル等の糖脂肪酸エステル類、グリセリン酢酸脂肪酸エステル、グリセリン乳酸脂肪酸エステル、グリセリンコハク酸脂肪酸エステル、グリセリンクエン酸脂肪酸エステル、グリセリンジアセチル酒石酸脂肪酸エステル、ポリグリセリン脂肪酸エステル、ポリグリセリン縮合リシノレイン酸エステル、グリセリン酢酸エステル等のグリセリン脂肪酸エステル類、ステアロイル乳酸カルシウム、オキシエチレン高級脂肪族アルコール、オレイン酸ナトリウム、モルホリン脂肪酸塩、ポリオキシエチレン高級脂肪族アルコール等の特殊用途用界面活性剤類を用いることができる。これらは、二種以上を併用することも可能である。
特に、上述の乳化剤のなかでも、ショ糖脂肪酸エステルを用いることが好ましい。本発明において、「ショ糖脂肪酸エステル」は、ショ糖の水酸基と脂肪酸が脱水縮合しエステル化した化合物のことである。このショ糖脂肪酸エステルは、親水性と疎水性のバランスを示すＨＬＢ（Ｈｙｄｒｏｐｈｉｌｅ−Ｌｉｐｏｐｈｉｌｅ  Ｂａｌａｎｃｅ）が１０以下のものを用いると、結晶セルロースと乳化剤が複合化しやすく、オイルオフ、オイルリング抑制の効果が高くなるため好ましい。より好ましくは、ＨＬＢは５以下であり、さらに好ましくは４以下である。
【００１５】
結晶セルロース複合化物には、上述の乳化剤を０．１質量％以上配合することが好ましい。より好ましくは、１質量％以上であり、さらに好ましくは２質量％以上であり、特に好ましくは、３質量％以上である。乳化剤の添加量が多すぎると、結晶セルロース複合化物を乳飲料に用いた場合に、乳成分との凝集が生じるため、上限は、１０質量％以下が好ましい。より好ましくは、５質量％以下である。
また、結晶セルロース複合化物は、発明の効果を失わない程度に親水性物質を加えてよい。親水性物質とは、冷水への溶解性が高く、粘性を殆どもたらさず、常温で固体の物質である。具体的には、デキストリン類、水溶性糖類（ブドウ糖、果糖、蔗糖、乳糖、異性化糖、キシロース、トレハロース、カップリングシュガー、パラチノース、ソルボース、還元澱粉糖化飴、マルトース、ラクツロース、フラクトオリゴ糖、ガラクトオリゴ糖等）、糖アルコール類（キシリトール、マルチトール、マンニトール、ソルビトール等）等が挙げられる。親水性物質としては、これらより選ばれる１種又は２種以上の物質を用いてもよい。最も好ましい親水性物質はデキストリンである。
さらに、結晶セルロース複合化物は、本発明の目的を損なわない範囲で、各種目的に応じて任意の添加剤を含むことができる。添加剤の具体例としては、甘味剤、乳化剤、単糖類、多糖類、オリゴ糖類、糖アルコール類、デンプン類、可溶性デンプン、デンプン加水分解物、油脂類、蛋白質類、食塩、各種リン酸塩類等の塩類、増粘剤、安定剤、ゲル化剤、酸味料、保存料、殺菌料、参加防止剤、防かび剤、日持ち向上剤、香料、色素等を挙げることができる。
【００１６】
本発明の結晶セルロース複合化物は、固形分１質量％の水分散液における貯蔵弾性率が０．１Ｐａ以上である。この貯蔵弾性率が高い程、結晶セルロースとアルギン酸プロピレングリコールエステル及びカルボキシメチルセルロース・ナトリウムの複合化が進み、本発明の効果が大きくなるため好ましい。好ましくは、０．３Ｐａ以上であり、より好ましくは０．７Ｐａ以上であり、さらに好ましくは１．０Ｐａ以上である。貯蔵弾性率の上限は、特に設定されるものではないが、現実的な範囲としては５．０Ｐａ以下である。
上述の貯蔵弾性率は、以下の方法で測定されるものである。
【００１７】
＜貯蔵弾性率＞
（１）固形分１質量％の水分散液となるように結晶セルロース複合化物と純水を量り取り、エースホモジナイザー（（株）日本精機製作所、ＥＤ−７型）にて、１５０００ｒｐｍで５分間分散する。
（２）２５℃の雰囲気中に３日間静置する。
（３）動的粘弾性測定装置に、サンプル液を入れてから５分間静置後、下記の条件で測定し、貯蔵弾性率（Ｇ’）を求める。
装置：ＡＲＥＳ（１００ＦＲＴＮ１型）
（Ｒｈｅｏｍｅｔｒｉｃ  Ｓｃｉｅｎｔｉｆｉｃ，Ｉｎｃ．製）
ジオメトリー：Ｄｏｕｂｌｅ  Ｗａｌｌ  Ｃｏｕｅｔｔｅ
温度：２５℃
歪み：５％（固定）周波数：０．１→１００ｒａｄ／ｓ
貯蔵弾性率は、上記の方法において、周波数０．１→１００ｒａｄ／ｓで掃引された周波数−貯蔵弾性率の曲線において、周波数２０ｒａｄ／ｓにおいて示される値のことである。
【００１８】
結晶セルロース複合化物の水分散時における平均粒径の範囲は１〜２０μｍが好ましい。粒径が前述の範囲ならば、結晶セルロース複合化物が添加された乳飲料を飲む際に、口腔内でざらつきを感じにくく、食感が優れるため好ましい。より好ましくは３〜１０μｍである。さらに好ましくは３〜８．５μｍである。特に好ましくは３〜８．０μｍである。
【００１９】
ここでいう結晶セルロース複合化物の平均粒径とは、以下の方法で測定した粒径のことである。
結晶セルロース複合化物を１質量％で純水に希釈し、全量３００ｍＬの水分散液をつくる。それを、ホモジナイザー（ＮＩＨＯＮ  ＳＥＩＫＩ  ＫＡＩＳＹＡ製  エクセルオートホモジナイザーＥＤ−７型）に導入し、１５０００ｒｐｍで、５分間分散する。これを、レーザ回折／散乱式粒度分布測定装置（堀場製作所製  ＬＡ−９１０型）に導入し、超音波で１分間処理し、相対屈折率１．２０で得られる積算体積５０％の平均粒径として測定されるものである。
また、結晶セルロース複合化物の水分散時における微粒子成分量としては、２０％以上が好ましい。微粒子成分とは、１μｍ以下の粒子のことであり、微粒子成分が前記の範囲を満たすことで、本発明の結晶セルロース複合化物を含む乳飲料を保存する際に、沈殿が発生しにくいため好ましい。より好ましくは３０質量％以上である。さらに好ましくは３５質量％以上である。特に好ましくは、４０質量％以上である。上限は、９９質量％である。
【００２０】
ここでいう微粒子成分量は、以下の方法で測定できる。
本発明の結晶セルロース複合化物を、１質量％として純水で希釈し水分散体を全量３００ｍＬにし、ホモジナイザー（ＮＩＨＯＮ  ＳＥＩＫＩ  ＫＡＩＳＹＡ製  エクセルオートホモジナイザーＥＤ−７型）に導入し、１５０００ｒｐｍで、５分間分散した水分散液を作る。これを、レーザ回折／散乱式粒度分布測定装置（堀場製作所製  ＬＡ−９１０型）に導入し、超音波で１分間処理し、相対屈折率１．０４で得られる１μｍ以下の成分含量として測定されるものである。
【００２１】
次に、結晶セルロース複合化物の製造方法を説明する。
結晶セルロース複合化物の製造方法としては、例えば結晶セルロースとアルギン酸プロピレングリコールエステルとカルボキシメチルセルロース・ナトリウムを含む混合物を混練機等を用いて混練する方法等が挙げられる。この際に、必要に応じて、乳化剤、親水性物質、添加剤を添加しておくことも可能である。また、親水性物質と添加剤の添加に関しては、混練前に予め親水性物質と添加剤を混ぜ合わせてから添加してもよいし、添加剤を添加して混練後、親水性物質をさらに加えて混ぜ合わせてもよい。
混練機は、ニーダー、エクストルーダー、プラネタリーミキサー、ライカイ機等を用いることができ、連続式でもバッチ式でもよく、二種以上を組み合わせてもよい。混練時の温度は成り行きでもよいが、混練の際の摩擦等により発熱する場合には、除熱しながら混練してもよい。
【００２２】
混練工程において加水するタイミングとしては、混練工程の前に必要量を加水してもよいし、混練工程の途中で加水してもよいし、両方実施しても良い。ただし、混練物の粘性が高い半固形状態で混練することが好ましく、混練時の固形分は１０質量％以上とすることが好ましい。この範囲で混練を制御することで、混練物がシャバシャバな状態にならず、下記に述べる混練エネルギーが混練物に伝わりやすくなり、複合化が促進されるため好ましい。混練時の固形分は、より好ましくは２０質量％以上であり、さらに好ましくは３０質量％以上であり、特に好ましくは４０質量％以上である。上限は特に限定されないが、混練物が水分量の少ないパサパサな状態にならず、充分な混練効果と均一な混練状態が得られることを考慮して、現実的範囲は９０質量％以下が好ましい。より好ましくは６０質量％以下であり、さらに好ましくは５５質量％以下である。
【００２３】
ここで、上記した混練エネルギーについて説明する。混練エネルギーとは混練物の単位質量当たりの電力量（Ｗｈ／ｋｇ）で定義するものである。混練エネルギーは、５０Ｗｈ／ｋｇ以上とすることが好ましい。より好ましくは８０Ｗｈ／ｋｇ以上であり、さらに好ましくは１００Ｗｈ／ｋｇ以上である。混練エネルギーが５０Ｗｈ／ｋｇ以上であれば、混練物に与える磨砕性が高く、結晶セルロースとアルギン酸プロピレングリコールエステル及びカルボキシメチルセルロース・ナトリウムの複合化が進み、オイルオフ、オイルリング等の抑制効果が発揮されるため好ましい。
複合化の程度は、結晶セルロースとその他の成分の水素結合の割合と考えられる。複合化が進むと、水素結合の割合が高くなり本発明の効果が向上する。また、上記したが、複合化が進むことで、結晶セルロース複合化物の貯蔵弾性率（Ｇ’）が高くなる。混練エネルギーが高い程、磨砕性が高まると考えられるが、混練エネルギーをあまり高くすると工業的に過大な設備になるのでコストの点から好ましくない。この観点から、混練エネルギーの上限は１０００Ｗｈ／ｋｇである。
【００２４】
結晶セルロース複合化物を得るにあたって、前述の混練工程より得られた混練物を乾燥する場合は、棚段式乾燥、噴霧乾燥、ベルト乾燥、流動床乾燥、凍結乾燥、マイクロウェーブ乾燥等の公知の乾燥方法を用いることができる。混練物を乾燥工程に供する場合には、混練物に水を添加せず、混練工程の固形分濃度を維持して、乾燥工程に供することが好ましい。乾燥後の結晶セルロース複合化物の含水率は１〜２０質量％が好ましい。
結晶セルロース複合化物を市場に流通させる場合は、粉体の方が取り扱いやすいので、乾燥により得られた結晶セルロース複合化物を粉砕処理して粉体状にすることが好ましい。但し、上述の乾燥方法で噴霧乾燥を選択した場合は、粉砕の必要はない。乾燥した結晶セルロース複合化物を粉砕する場合、カッターミル、ハンマーミル、ピンミル、ジェットミル等の公知の方法を用いることができる。粉砕する程度は、粉砕処理したものが目開き１ｍｍの篩いを全通する程度に粉砕する。より好ましくは、目開き４２５μｍの篩いを全通し、かつ、平均粒度としては１０〜２５０μｍとなるように粉砕する。
【００２５】
結晶セルロース複合化物は、種々の用途に応じて、粉末状（粉末同士を混合したもの）、液体状、固体状、ゲル状又はペースト状等、どのような形態でも使用することができる。
結晶セルロース複合化物の用途としては、飲料、食品用、工業用洗浄剤、工業用処理剤原料、家庭用(衣料、台所、住居、食器等)洗剤原料、香粧品原料、医薬品用、乳化（重合）用、農薬用、繊維加工用（精錬剤、染色助剤、柔軟剤、撥水剤）、防汚加工剤、コンクリート用混和剤、印刷インキ用、潤滑油用、帯電防止剤、防曇剤、滑剤、分散剤、脱墨剤等を挙げることができる。
【００２６】
本発明の結晶セルロース複合化物は、特に乳成分を含む飲料及び食品に好適である。
乳成分を含む飲料（乳飲料）の具体例としては、加工乳、発酵乳飲料、酸性乳飲料、ミルク入りコーヒー、ミルク入り茶類（紅茶、抹茶、緑茶、麦茶、ウーロン茶等）、ミルク入りココア、ミルク入りジュース類（果汁入り飲料、野菜汁入り飲料等）、栄養バランス飲料、流動食、豆乳等が挙げられる。
乳成分を含む食品の具体例としては、ヨーグルト、ソフトクリームミックス液、カレー、スープ類（ポタージュ、クラムチャウダー、カレー、ラーメン等）、クリームシチュー等も、たれ類（焼肉、しゃぶしゃぶ等）、ソース類（とんかつ、トマト、マヨネーズ、ケチャップ等）、ドレッシング類（ごまドレッシング、タルタルソース等）等が挙げられる。
ここで、乳成分としては、液状乳類（生乳、牛乳等）、粉乳類（全粉乳、脱脂粉乳等）、練乳類（無糖練乳、加糖練乳等）、クリーム類（クリーム、ホイップクリーム等）、発酵乳等が挙げられる。乳成分の配合量は、無脂乳固形分として０．１〜１２％、乳脂肪分として０．０１〜６％である。配合量は目的に応じて適宜選択される。
【００２７】
本発明の結晶セルロース複合化物を乳飲料に使用する場合、乳飲料全体に対する配合量は、０．００１〜３質量％が好ましい。より好ましくは０．０２〜０．５質量％であり、最も好ましくは０．０２〜０．１質量％である。配合量が０．００１質量％以上であれば、オイルオフ防止等の効果が発揮される。また、配合量が３質量％以下であれば乳飲料の粘度が上がることはなく、乳飲料本来の食感が損なわれることもない。
また、本発明の結晶セルロース複合化物を乳飲料に配合する場合、さらに乳化剤及び／又はカゼイン・ナトリウムを併用することが好ましい。
カゼイン・ナトリウムは、リンタンパク質の一種で、牛乳に酸類を加え、沈殿させて得られるもののナトリウム塩である。カゼイン・ナトリウムを添加することで、オイルオフやオイルリング等の抑制効果が向上する。カゼインの種類は特に限定されないが、α−カゼイン、β−カゼイン、κ−カゼイン、γ−カゼインのいずれか又は二種以上の混合物を用いることができる。上記のうち、κ−カゼインが好ましい。また、カゼイン・ナトリウムの乳飲料への添加量は、１ｐｐｍ以上が好ましく、３ｐｐｍ以上がさらに好ましく、５ｐｐｍ以上が特に好ましい。上限は３０質量％です。
【００２８】
本発明の結晶セルロース複合化物は、上記した乳飲料のなかでも、ミルクコーヒー、ミルクティー、ココア（以下、ミルクコーヒー等という）に最も好適である。ミルクコーヒー等は弱酸性飲料であり、賞味期限も長く、また高温販売（いわゆるホットベンダー販売）される機会が多いく、他の乳飲料に比べてより不安定化する傾向が強い。そのため、比較的低添加量であっても、オイルオフ等を効果的に抑制できる本願発明の結晶セルロース複合化物が好適に用いられる。
乳成分の中でも、ミルクコーヒー等に好適に使用される乳成分としては、生乳、生クリーム、バター、加糖煉乳、脱脂加糖煉乳、濃縮乳、脱脂濃縮乳、脱脂粉乳、全脂粉乳、チーズ、乳等を主原料とする食品等が挙げられる。
生乳、生クリーム、全脂粉乳、濃縮乳、加糖練乳等乳脂肪を含む製品は、より不安定になる傾向が強いので、本発明に好適である。
【００２９】
次に、ミルクコーヒーについて、詳細に説明する。
ミルクコーヒーに使用されるコーヒー原液は、コーヒー生豆（なままめ、きまめ、生のコーヒー豆のこと）から熱水又は水で抽出されるものを使用することが好ましい。コーヒー生豆は、コーヒーノキ属の植物のうち、アラビカ種 (Ｃｏｆｆｅａ  ａｒａｂｉｃ)とロブスタ種 （カネフォーラ種、 Ｃ. ｃａｎｅｐｈｏｒａ）等の産業的に栽培されているものを用いることができる。
ここで、コーヒー生豆とは、コーヒー豆の精製と呼ばれる加工作業を行われ、精製されたものである。生豆は、コーヒー独特の香味を生み出すために焙煎され、場合によっては複数の焙煎豆を混ぜてブレンドされる。その後、粉砕により細かい粉状にされてから、水や湯で抽出されて、飲用に供されるコーヒーが出来上がる。
【００３０】
特に、熱水または冷水で抽出されたコーヒー濃度として、後述するＢｒｉｘが１．０以上のものを使用することが好ましい。ここでいうコーヒー濃度とは、乳成分、他の添加剤、水等を加え、最終的に飲食する形態でのものであり、抽出後のコーヒー原液で測定される値から、配合組成で算出されるものである。コーヒー濃度が高いほど、コーヒーの風味は優れるが、オイルオフ、オイルリングが発生しやすくなるが、本発明の結晶セルロース複合化物は、コーヒーの風味を維持しつつ、オイルオフ、オイルリング等を抑制できる効果を発揮する。より好ましくは、Ｂｒｉｘは１．５以上であり、さらに好ましくは２．０以上である。
上述のＢｒｉｘとは、以下の方法で測定することができる。熱水または、冷水で、抽出されたコーヒー原液を、２０℃に恒温し、糖度計（アタゴ製  ポケット糖度計ＰＡＬ−１型）により、ショ糖換算の糖度として測定される。
【００３１】
乳飲料に添加できるその他の成分としては、以下のものが挙げられる。
甘味料、香料、色素、酸味料、香辛料、乳化剤（グリセリン脂肪酸エステル・モノグリセリド、グリセリン脂肪酸エステル・有機酸モノグリセリド、ポリグリセリン脂肪酸エステル、ポリグリセリン縮合リシノレイン酸エステル、ソルビタン酸脂肪酸エステル、プロピレングリコール脂肪酸エステル、ショ糖脂肪酸エステル、レシチン、リゾレシチン、ステアロイル乳酸カルシウム等である。脂肪酸エステルを構成する脂肪酸は炭素数６〜２２の飽和又は不飽和の脂肪酸であり、例えばカプリル酸、カプリン酸、ラウリン酸、ミリスチン酸、パルミチン酸、ステアリン酸、アラキジン酸、ベヘン酸、オレイン酸、リノール酸、リノレン酸、アラキドン酸、エルカ酸などである。有機酸モノグリセリドの有機酸は酢酸、乳酸、クエン酸、コハク酸、ジアセチル酒石酸などである。）、カゼイン・ナトリウム、増粘安定剤（κカラギーナン、ιカラギーナン、λカラギーナン、カルボキシメチルセルロース・ナトリウム、ローカストビーンガム、グアーガム、タラガム、ペクチン等）、結晶セルロース、食物繊維（難消化性デキストリン、ポリデキストロース、酵素分解グアーガム、水溶性大豆多糖類等）、栄養強化剤（ビタミン、カルシウム等）、フレーバー素材（コーヒー粉末、ミルクフレーバー、ブランデー等）、食品素材（果肉、果汁、野菜、野菜汁、デンプン、穀類、豆類、ハチミツ、植物性油脂、動物性油脂等）、調味料（みそ、しょうゆ、塩、グルタミン酸ナトリウム等）等が挙げられる。
【００３２】
乳飲料の製造方法としては、公知の方法を用いることができる。一例を挙げれば、コーヒーを抽出した液に乳やクリームなどの原料、温水を加えて攪拌・溶解（分散）し、これに本実施形態の結晶セルロース複合化物を加え、均質化後、容器に充填して製造される。殺菌は製品の原料、商品形態（缶、ビン、ＰＥＴボトル、紙パック、カップ、等）、希望する保存条件（チルド、常温、加温、等）や賞味期限に応じて、ＨＴＳＴ殺菌、ホットパック殺菌、レトルト殺菌などの方法を適宜選択して実施される。
乳飲料の包装形態としては、缶、瓶、ボトル缶、ペット容器、紙パック、プラスチック容器、チアパック等があげられ、密封された容器であれば容器形態には特に制限を受ける物ではない。最近の傾向として、缶、ペットボトル、ボトル缶等の容器形態が高温販売、いわゆるホットベンダー販売される機会が多く、また長期保管される機会も多いためより不安定になる傾向が高いため、缶、ペットボトル、ボトル缶の容器形態が好ましい。
以下、本発明について実施例等を用いてさらに具体的に説明するが、本発明はこれら実施例等により何ら限定されるものではない。なお、本発明の実施例等で用いる測定評価手段などは以下の通りである。
【実施例】
【００３３】
＜ミルクコーヒーの外観の評価基準＞
（オイルリング、オイルオフ、沈降、凝集の存在に関する評価）
３点  ：全くなし
２点  ：ごくわずかにあり
１点  ：あり
０点  ：著しく発生、とした。
ごくわずかにありという状態（２点）とは、手で軽く振ると容易に系が均一になる程度であり、２点以上が実用的に充分使用可能である。
【００３４】
＜ミルクコーヒーの粘度＞
ミルクコーヒーを製造後５℃で一日保存し、Ｂ型粘時計（ＴＯＫＩ  ＳＡＮＧＹＯ製  ＶＩＳＣＯＭＥＴＥＲ  ＴＶ−１０型）を用いて計測する。ＢＬアダプターを選択し、水溶液にセットする。セット後３０秒間静置した後、６０ｒｐｍで、３０秒間ローターを回転させた際に、粘度が測定される。
＜ミルクコーヒーの食感＞
試作されたミルクコーヒーは、以下の官能試験により評価された。
年齢２４〜５５歳の健常成人（男６名、女６名）が、ミルクコーヒーを飲み、以下の判定基準で評価した。実施例の判断基準は、結晶セルロース複合化物を添加せず、実施例、比較例と同様の操作で試作したミルクコーヒーに対するものである。
◎（優）  ：のど越しが軽くさっぱりとしている。
○（良）  ：のど越しがやや重く感じる。
×（不可）：のど越しが重く糊状感がある。また、オイルリング等の影響によりざらつきがある。
以下の実施例及び比較例では、結晶セルロースをＭＣＣ、アルギン酸プロピレングリコールエステルをＰＧＡ、カルボキシメチルセルロース・ナトリウムをＣＭＣ、ショ糖脂肪酸エステルをＳＥと略して記載する。
【００３５】
［実施例１］
市販ＤＰパルプを裁断後、２．５ｍｏｌ／Ｌ塩酸中で１０５℃、１５分間加水分解した後、水洗・濾過を行い固形分が５０質量％のウェットケーキ状の結晶セルロースを作製した。
プラネタリーミキサー（（株）品川工業所製、５ＤＭ−０３−Ｒ、撹拌羽根はフック型）にＭＣＣ、ＰＧＡ（（株）大阪アルギン、ＮＬＳ−Ｋ）、ＣＭＣ（第一工業製薬（株）、Ｆ−５Ａ）を、ＭＣＣ／ＰＧＡ／ＣＭＣとの質量比が９０／９／１となるように投入し、固形分３５質量％となるように加水した。その後、１２６ｒｐｍで混練し結晶セルロース複合化物Ａを得た。混練エネルギーは５５Ｗｈ／ｋｇであり、結晶セルロース複合化物ＡのＧ’は０．１５Ｐａであった。また、結晶セルロース複合化物Ａの平均粒子径及び微粒子成分量は、８．５μｍ、３１．５％であった。
【００３６】
結晶セルロース複合化物Ａを用いて次のようにしてミルクコーヒーを作った。
コーヒー生豆２５０ｇから温水で２０００ｇ抽出した液を用意した。このコーヒー原液のＢｒｉｘは、６．０であり、最終的に得られるミルクコーヒーのＢｒｉｘは１．５であった。このコーヒー原液２５質量部、結晶セルロース複合化物Ａを固形分で０．０５質量部、牛乳（無脂乳固形分８．８％、乳脂肪３．８％）２３質量部、砂糖６質量部、炭酸水素ナトリウム０．０６質量部、ショ糖パルミチン酸エステル０．０７質量部を混ぜ、温水を加えて、全体が１００質量部とした。この液を８０℃で１０分間プロペラ攪拌し、ピストン型ホモジナイザー（一次圧：１５ＭＰａ、２次圧：５ＭＰａ）で１回均質化処理を行い、２００ｍＬ容のガラス製耐熱ビンに充填した。これを殺菌処理し（１２４℃、２０ｍｉｎ）、水道水で冷却して１ヶ月静置保存（６０℃を２週間した後、２℃を２週間）し、外観の均一性（オイルリング、オイルオフ、沈降、凝集）を目視観察した。結果を表２に示す。
【００３７】
［実施例２］
実施例１と同様の質量比でＭＣＣ、ＰＧＡ、ＣＭＣを混練し、結晶セルロース複合化物Ｂを得た。混練エネルギーは１００Ｗｈ／ｋｇであり、結晶セルロース複合化物ＢのＧ’は０．３０Ｐａであった。また、結晶セルロース複合化物Ｂの平均粒子径及び微粒子成分量は、８．１μｍ、３３．３％であった。
結晶セルロース複合化物Ｂを用いて実施例１と同様にミルクコーヒーを作製し、評価した。結果を表−２に示す。
【００３８】
［実施例３］
ＭＣＣ、ＰＧＡ、ＣＭＣを、ＭＣＣ／ＰＧＡ／ＣＭＣの質量比が５０／２５／２５となるように投入し、固形分４３質量％となるように加水した。その後、１２６ｒｐｍで混練し結晶セルロース複合化物Ｃを得た。混練エネルギーは８０Ｗｈ／ｋｇであり、結晶セルロース複合化物ＣのＧ’は０．２５Ｐａであった。また、結晶セルロース複合化物Ｃの平均粒子径及び微粒子成分量は、８．４μｍ、３２．３％であった。
結晶セルロース複合化物Ｃを用いて実施例１と同様にミルクコーヒーを作製し、評価した。結果を表２に示す。
【００３９】
［実施例４］
実施例３と同様の質量比で、固形分４３質量％となるように加水した。その後、１２６ｒｐｍで混練し、結晶セルロース複合化物Ｄを得た。混練エネルギーは２５０Ｗｈ／ｋｇであり、結晶セルロース複合化物ＤのＧ’は０．７５Ｐａであった。また、結晶セルロース複合化物Ｄの平均粒子径及び微粒子成分量は、７．７μｍ、３９．４％であった。
結晶セルロース複合化物Ｄを用いて実施例１と同様にミルクコーヒーを作製し、評価した。結果を表２に示す。
【００４０】
［実施例５］
ＭＣＣ、ＰＧＡ、ＣＭＣ及び乳化剤を、ＭＣＣ／ＰＧＡ／ＣＭＣ／ＳＥの質量比が８４／８／８／４となるように投入し、固形分４０質量％となるように加水した。その後、１２６ｒｐｍで混練し結晶セルロース複合化物Ｅを得た。混練エネルギーは２００Ｗｈ／ｋｇであり、結晶セルロース複合化物ＥのＧ’は０．７０Ｐａであった。また、結晶セルロース複合化物Ｅの平均粒子径及び微粒子成分量は、７．８μｍ、３８．２％であった。
結晶セルロース複合化物Ｅを用いて実施例１と同様にミルクコーヒーを作製し、評価した。結果を表２に示す。
【００４１】
［実施例６］
実施例５と同様の質量比で、固形分４５質量％となるように加水した。その後、１２６ｒｐｍで混練し結晶セルロース複合化物Ｆを得た。混練エネルギーは２８０Ｗｈ／ｋｇであり、結晶セルロース複合化物ＥのＧ’は１．４０Ｐａであった。結晶セルロース複合化物Ｆの平均粒子径及び微粒子成分量は、７．６μｍ、４２．６％であった。
結晶セルロース複合化物Ｆを用いて実施例１と同様にミルクコーヒーを作製し、評価した。結果を表２に示す。
上記したいずれの実施例も、混練中の混練物は、５０℃以下であった。
【００４２】
［比較例１］
ＭＣＣ、ＰＧＡ、ＣＭＣを、ＭＣＣ／ＰＧＡ／ＣＭＣの質量比が８０／１０／１０となるように投入し、固形分３０質量％となるように加水した。その後、１２６ｒｐｍで混練し結晶セルロース複合化物Ｇを得た。混練エネルギーは１０Ｗｈ／ｋｇであり、結晶セルロース複合化物ＧのＧ’は０．０２Ｐａであった。また、結晶セルロース複合化物Ｇの平均粒子径及び微粒子成分量は、９．０μｍ、３０．５％であった。
結晶セルロース複合化物Ｇを用いて実施例１と同様にミルクコーヒーを作製し、評価した。結果を表４に示す。
【００４３】
［比較例２］
ＭＣＣ、ＰＧＡ、ＣＭＣを、ＭＣＣ／ＰＧＡ／ＣＭＣの質量比が４５／２８／２７となるように投入し、固形分４５質量％となるように加水した。その後、１２６ｒｐｍで混練し結晶セルロース複合化物Ｈを得た。混練エネルギーは１２０Ｗｈ／ｋｇであり、結晶セルロース複合化物ＨのＧ’は０．２２Ｐａであった。また、結晶セルロース複合化物Ｈの平均粒子径及び微粒子成分量は、８．６μｍ、３２．１％であった。
結晶セルロース複合化物Ｈを用いて実施例１と同様にミルクコーヒーを作製し、評価した。結果を表４に示す。
比較例２は、貯蔵弾性率は本願範囲に入るものの、結晶セルロースの含有量が低いため、ミルクコーヒー中での、セルロース複合化物の分散が悪く、だまになる傾向を示した。また、沈降が抑制できる傾向にあったが、コーヒーの粘度が高く、食感が悪かった。
【００４４】
［比較例３］
ＭＣＣ、ＰＧＡ、ＣＭＣを、ＭＣＣ／ＰＧＡ／ＣＭＣの質量比が９６／２／２となるように投入し、固形分４５質量％となるように加水した。その後、１２６ｒｐｍで混練し結晶セルロース複合化物Ｉを得た。混練エネルギーは８０Ｗｈ／ｋｇであり、結晶セルロース複合化物ＩのＧ’は０．３５Ｐａであった。また、結晶セルロース複合化物Ｉの平均粒子径及び微粒子成分量は、８．８μｍ、３１．７％であった。
結晶セルロース複合化物Ｉを用いて実施例１と同様にミルクコーヒーを作製し、評価した。結果を表４に示す。
【００４５】
［比較例４］
ＭＣＣ、ＰＧＡ、ＣＭＣ及び乳化剤を、ＭＣＣ／ＰＧＡ／ＣＭＣ／ＳＥの質量比が７０／１５／１５／３となるように投入し、固形分４５質量％となるように加水した。その後、１２６ｒｐｍで混練し結晶セルロース複合化物Ｊを得た。混練エネルギーは４０Ｗｈ／ｋｇであり、結晶セルロース複合化物ＪのＧ’は０．０８Ｐａであった。結晶セルロース複合化物Ｊの平均粒子径及び微粒子成分量は、８．７μｍ、３２．０％であった。
結晶セルロース複合化物Ｊを用いて実施例１と同様にミルクコーヒーを作製し、評価した。結果を表４に示す。
【００４６】
［比較例５］
ＭＣＣ、ＰＧＡを、ＭＣＣ／ＰＧＡの質量比が７０／３０となるように投入し、固形分４８質量％となるように加水した。その後、ホバートミキサー中で数分間混合した。該混合物を、共混練二軸押し出し機（栗本鉄工所製  Ｓ２ＫＲＣニーダ）を通して、せん断した。混練エネルギーは８０Ｗｈ／ｋｇであった。この混練物を固形分が６質量％となるよう純水を加え（全量２５００ｇ）、数分間ミキサーで攪拌し、ｐＨを８．０に調整し、得られたスラリーを１７ＭＰａでマントンゴーリンホモジナイザー（ＡＰＶ製  １５ＭＲ−８ＴＡ型）を通し、噴霧乾燥（噴霧化ノズルφ０．２５ｃｍ、缶体径０．９ｍのＢｏｗｅｎ型噴霧乾燥機、入口温度１９５℃／出口温度９５℃）し、セルロース複合化物Ｋを得た。結晶セルロース複合化物ＫのＧ’は０．０８Ｐａであった。また、結晶セルロース複合化物Ａの平均粒子径及び微粒子成分量は、７．９μｍ、３０．５％であった。
結晶セルロース複合化物Ｋを用いて実施例１と同様にミルクコーヒーを作製し、評価した。結果を表４に示す。
カルボキシメチルセルロースを加えない比較例５は、貯蔵弾性率が、実施例に比較的近いもののミルクコーヒーとした際に、オイルオフ、オイルリングが発生し、凝集、沈降が発生した。
【００４７】
【表１】
0005539748.tif 000002
【００４８】
【表２】
0005539748.tif 000003
【００４９】
【表３】
0005539748.tif 000004
【００５０】
【表４】
0005539748.tif 000005
【産業上の利用可能性】
【００５１】
本発明は、結晶セルロース、アルギン酸プロピレングリコールエステル及びカルボキシメチルセルロース・ナトリウムを含む結晶セルロース複合化物に関する発明であり、乳成分を含む飲料及び食品に好適である。